(57)【要約】【課題】特に画素を低輝度で表示する場合にも、画素欠陥が目立ちにくいまたは画素欠陥が見分けられない表示装置およびその駆動方法を提供する。【解決手段】表示制御回路２００における不揮発性メモリ２２は、予め検出されている欠陥画素の位置に関連する情報を記憶し、データ変換回路２３は、装置外部から表示データ信号ＤＡＴを受けとりタイミング制御回路２１からの制御信号に基づき、受け取った表示値を不揮発性メモリ２２に記憶されている上記情報に照らし、欠陥ドットである可能性があるドットを大きな階調でのみ表示に使用するよう適宜の位置の表示値に再配列する。このように欠陥ドットである可能性があるドットを大きな階調でのみ表示に使用するので、低輝度で表示する場合に画素欠陥を目立ちにくくすることができる。【選択図】  図４
2009282346.tif 000002
【特許請求の範囲】
【請求項１】
表示データにより表される表示画像の各カラー画素がそれぞれ複数のサブ画素によって構成されるように表示を行う表示装置であって、
前記サブ画素を構成するそれぞれ互いに異なる色の所定数の画素であるドットを形成するドット形成部がマトリクス状に配列されており、かつ所望の表示状態とすることが不能なドット形成部である欠陥ドット形成部を含む表示パネルと、
前記欠陥ドット形成部である可能性がある複数のドット形成部であって前記サブ画素形成部の１つ分に相当する個数のドット画素形成部の位置に関連する情報を記憶する記憶手段と、
前記記憶手段に記憶された情報に基づき、所定輝度以下で表示を行う場合には前記欠陥ドット形成部である可能性がある複数のドット形成部を含まない複数のドット形成部により前記カラー画素が形成されるよう、前記各カラー画素を表す表示データを前記カラー画素を表示する複数のドット形成部に与えるべきデータに変換するデータ変換手段と、
前記データ変換手段から出力される前記データに応じて、前記表示パネルを駆動する駆動手段と
を備える表示装置。
【請求項２】
前記記憶手段は、前記サブ画素形成部の２つ以上に分散して含まれており前記欠陥ドット形成部である可能性がある複数のドット形成部の位置に関連する情報を記憶することを特徴とする、請求項１に記載の表示装置。
【請求項３】
前記データ変換手段は、所定輝度以上で表示を行う場合には、前記欠陥ドット形成部である可能性がある複数のドット形成部を含む複数のサブ画素形成部により前記カラー画素が形成されるよう、前記各カラー画素を表す表示データを前記複数のドット形成部に与えるべきデータに変換することを特徴とする、請求項１に記載の表示装置。
【請求項４】
前記データ変換手段は、表示を行うべき輝度によらず、前記欠陥ドット形成部である可能性がある複数のドット形成部を含まない複数のサブ画素形成部により前記カラー画素が形成されるよう、前記各カラー画素を表す表示データを前記複数のドット形成部に与えるべきデータに変換することを特徴とする、請求項１に記載の表示装置。
【請求項５】
前記記憶手段は、最低輝度から最高輝度までの間を複数に分割した区間における輝度毎に、前記カラー画素を形成すべき複数のドット形成部の位置に関連する情報を記憶し、
前記データ変換手段は、前記記憶手段に記憶された情報に基づき、前記区間における輝度毎に前記カラー画素を形成すべき複数のドット形成部により表示が行われるよう、前記各カラー画素を表す表示データを前記複数のドット形成部に与えるべきデータに変換することを特徴とする、請求項１から請求項４までのいずれか１項に記載の表示装置。
【請求項６】
前記記憶手段は、前記区間における輝度毎に、前記カラー画素を形成すべき複数のドット形成部の位置に関連する情報を当該複数のドット形成部がそれぞれ異なる組み合わせとなるよう複数組記憶し、
前記データ変換手段は、前記記憶手段に記憶された情報に基づき、前記表示パネルにおける行方向および列方向の少なくとも一方に隣接する他のカラー画素を形成する複数のドット形成部とは異なる組み合わせの複数のドット形成部により前記カラー画素が形成されるよう、前記各カラー画素を表す表示データを前記複数のドット形成部に与えるべきデータに変換することを特徴とすることを特徴とする、請求項５に記載の表示装置。
【請求項７】
表示データにより表される表示画像の各カラー画素がそれぞれ複数のサブ画素によって構成されるように表示を行う表示装置であって、前記サブ画素を構成するそれぞれ互いに異なる色の所定数の画素であるドットを形成するドット形成部がマトリクス状に配列されており、かつ所望の表示状態とすることが不能なドット形成部である欠陥ドット形成部を含む表示パネルを備える表示装置の駆動方法であって、
前記欠陥ドット形成部である可能性がある複数のドット形成部であって前記サブ画素形成部の１つ分に相当する個数のドット画素形成部の位置に関連する情報に基づき、所定輝度以下で表示を行う場合には前記欠陥ドット形成部である可能性がある複数のドット形成部を含まない複数のドット形成部により前記カラー画素が形成されるよう、前記各カラー画素を表す表示データを前記カラー画素を表示する複数のドット形成部に与えるべきデータに変換するデータ変換ステップと、
前記データ変換ステップにおいて出力される前記データに応じて、前記表示パネルを駆動するパネル駆動ステップと
を備える駆動方法。
【発明の詳細な説明】
【技術分野】
【０００１】
本発明は、アクティブマトリクス型の液晶表示装置などの表示装置およびその駆動方法に関する。
【背景技術】
【０００２】
近年、液晶を使用したテレビジョン用のディスプレイは、ＨＤＴＶ（High Definition TeleVision）用のものが主流となってきている。このＨＤＴＶ用のディスプレイは、縦×横が１９２０×１０８０画素の高精細な画面であるので、画素欠陥が生じやすくなっている。
【０００３】
このような画素欠陥を目立たないようにするため、従来より種々の工夫がなされており、例えば図１９に示すように１つの画素を上下方向に３つのサブ画素に分割し、図２０に示すようにサブ画素の点灯順を１画素毎に反転させるように明るい２つのサブ画素（図中の「明Ａ」または「明Ｂ」）を補助容量線ＣＳＡまたはＣＳＢのいずれか一方で点灯制御する従来の液晶表示装置（以下、第１の従来例という）がある（特許文献１を参照）。
【０００４】
また図２１に示すように、表示パネル９１に含まれる１つの画素９２をＲＧＢＷ（赤・緑・青・白）４色の最小表示単位であるドットにより構成し、欠陥のある色のドットは使用せず、残りの色のドットにより表示を行う従来の液晶表示装置（以下、第２の従来例という）がある（特許文献２を参照）。
【特許文献１】特開２００６−１７１３４２号公報
【特許文献２】特開２００７−２５３０３号公報
【発明の開示】
【発明が解決しようとする課題】
【０００５】
しかし、上記第１の従来例では、特に画素を低輝度で表示する場合に画素欠陥が目立ちやすい問題点が残る。また、上記第２の従来例では、低輝度で表示する場合にも画素欠陥が目立ちにくいが、ＲＧＢ３原色のドットのいずれかに欠陥がある場合、欠陥のない色の他のドットで表示を行うため色再現性が低下する問題点を有している。具体的には、上記第２の従来例では、図２２に示すように、ＲＧＢ３原色のうち欠陥のない２色に対応する２点とＷ（白色）に対応する１点とで囲まれた３角形の内側に対応する色しか再現できなくなるという問題点を有している。
【０００６】
そこで本発明では、特に画素を低輝度で表示する場合にも、画素欠陥が目立ちにくいまたは画素欠陥が見分けられない表示装置およびその駆動方法を提供することを目的とする。
【課題を解決するための手段】
【０００７】
第１の発明は、表示データにより表される表示画像の各カラー画素がそれぞれ複数のサブ画素によって構成されるように表示を行う表示装置であって、
前記サブ画素を構成するそれぞれ互いに異なる色の所定数の画素であるドットを形成するドット形成部がマトリクス状に配列されており、かつ所望の表示状態とすることが不能なドット形成部である欠陥ドット形成部を含む表示パネルと、
前記欠陥ドット形成部である可能性がある複数のドット形成部であって前記サブ画素形成部の１つ分に相当する個数のドット画素形成部の位置に関連する情報を記憶する記憶手段と、
前記記憶手段に記憶された情報に基づき、所定輝度以下で表示を行う場合には前記欠陥ドット形成部である可能性がある複数のドット形成部を含まない複数のドット形成部により前記カラー画素が形成されるよう、前記各カラー画素を表す表示データを前記カラー画素を表示する複数のドット形成部に与えるべきデータに変換するデータ変換手段と、
前記データ変換手段から出力される前記データに応じて、前記表示パネルを駆動する駆動手段とを備える。
【０００８】
第２の発明は、第１の発明において、
前記記憶手段は、前記サブ画素形成部の２つ以上に分散して含まれており前記欠陥ドット形成部である可能性がある複数のドット形成部の位置に関連する情報を記憶することを特徴とする。
【０００９】
第３の発明は、第１の発明において、
前記データ変換手段は、所定輝度以上で表示を行う場合には、前記欠陥ドット形成部である可能性がある複数のドット形成部を含む複数のサブ画素形成部により前記カラー画素が形成されるよう、前記各カラー画素を表す表示データを前記複数のドット形成部に与えるべきデータに変換することを特徴とする。
【００１０】
第４の発明は、第１の発明において、
前記データ変換手段は、表示を行うべき輝度によらず、前記欠陥ドット形成部である可能性がある複数のドット形成部を含まない複数のサブ画素形成部により前記カラー画素が形成されるよう、前記各カラー画素を表す表示データを前記複数のドット形成部に与えるべきデータに変換することを特徴とする。
【００１１】
第５の発明は、第１から第４までのいずれか１つの発明において、
前記記憶手段は、最低輝度から最高輝度までの間を複数に分割した区間における輝度毎に、前記カラー画素を形成すべき複数のドット形成部の位置に関連する情報を記憶し、
前記データ変換手段は、前記記憶手段に記憶された情報に基づき、前記区間における輝度毎に前記カラー画素を形成すべき複数のドット形成部により表示が行われるよう、前記各カラー画素を表す表示データを前記複数のドット形成部に与えるべきデータに変換することを特徴とする。
【００１２】
第６の発明は、第５の発明において、
前記記憶手段は、前記区間における輝度毎に、前記カラー画素を形成すべき複数のドット形成部の位置に関連する情報を当該複数のドット形成部がそれぞれ異なる組み合わせとなるよう複数組記憶し、
前記データ変換手段は、前記記憶手段に記憶された情報に基づき、前記表示パネルにおける行方向および列方向の少なくとも一方に隣接する他のカラー画素を形成する複数のドット形成部とは異なる組み合わせの複数のドット形成部により前記カラー画素が形成されるよう、前記各カラー画素を表す表示データを前記複数のドット形成部に与えるべきデータに変換することを特徴とすることを特徴とする。
【００１３】
第７の発明は、表示データにより表される表示画像の各カラー画素がそれぞれ複数のサブ画素によって構成されるように表示を行う表示装置であって、前記サブ画素を構成するそれぞれ互いに異なる色の所定数の画素であるドットを形成するドット形成部がマトリクス状に配列されており、かつ所望の表示状態とすることが不能なドット形成部である欠陥ドット形成部を含む表示パネルを備える表示装置の駆動方法であって、
前記欠陥ドット形成部である可能性がある複数のドット形成部であって前記サブ画素形成部の１つ分に相当する個数のドット画素形成部の位置に関連する情報に基づき、所定輝度以下で表示を行う場合には前記欠陥ドット形成部である可能性がある複数のドット形成部を含まない複数のドット形成部により前記カラー画素が形成されるよう、前記各カラー画素を表す表示データを前記カラー画素を表示する複数のドット形成部に与えるべきデータに変換するデータ変換ステップと、
前記データ変換ステップにおいて出力される前記データに応じて、前記表示パネルを駆動するパネル駆動ステップとを備える。
【発明の効果】
【００１４】
第１の発明によれば、データ変換手段により、所定輝度以下で表示を行う場合には欠陥ドット形成部である可能性がある複数のドット形成部を含まない複数のドット形成部によりカラー画素が形成されるよう、各カラー画素を表す表示データがカラー画素を表示する複数のドット形成部に与えるべきデータに変換されるので、欠陥ドットである可能性があるドットを所定輝度以下の低輝度で表示する場合に画素欠陥を目立ちにくくすることができる。
【００１５】
第２の発明によれば、欠陥ドット形成部である可能性がある複数のドット形成部がサブ画素形成部の２つ以上に分散して含まれているので、カラー表示を行う複数のサブ画素形成部における各ドット形成部による発光位置の配置バランス（発光画素の重心）を偏りのないものにすることができる。
【００１６】
第３の発明によれば、データ変換手段により、所定輝度以上で表示を行う場合には、欠陥ドット形成部である可能性がある複数のドット形成部を含む複数のドット形成部によりカラー画素が形成されるよう、各カラー画素を表す表示データが複数のドット形成部に与えるべきデータに変換されるので、所定輝度以上の高輝度表示時における発光輝度を大きくすることができる（小さくならないようにすることができる）。
【００１７】
第４の発明によれば、データ変換手段により、表示を行うべき輝度によらず、欠陥ドット形成部である可能性がある複数のドット形成部を含まない複数のドット形成部によりカラー画素が形成されるよう、各カラー画素を表す表示データが複数のドット形成部に与えるべきデータに変換されるので、欠陥ドットである可能性があるドットが一切表示に利用されない。よって、画素欠陥を全く見分けられないようにすることができる。また、高輝度でカラー画素を表示する場合にも、欠陥ドットが使用されないので色付きの異常を生じることがなく、色再現性が完全な表示を行うことができる。
【００１８】
第５の発明によれば、最低輝度から最高輝度までの間を複数に分割した区間における輝度毎に、カラー画素を形成すべき複数のドット形成部の位置に関連する情報が記憶されて表示に利用されるので、より自然で滑らかな階調表現を行うことができる。
【００１９】
第６の発明によれば、区間における輝度毎に、カラー画素を形成すべき複数のドット形成部の位置に関連する情報を当該複数のドット形成部がそれぞれ異なる組み合わせとなるよう複数組記憶され、表示パネルにおける行方向および列方向の少なくとも一方に隣接する他のカラー画素を形成する複数のドット形成部とは異なる組み合わせの複数のドット形成部によりカラー画素が形成されるよう、データ変換手段によりデータ変換されるので、ドット形成部の点灯状態（表示パターン）をデルタ配列に近似させることができる。このことにより、実際のドットの配列がストライプ配列などであっても、デルタ配列である場合と同様の自然な画像表示を行うことができる。
【００２０】
第７の発明によれば、第１の発明における効果と同様の効果を表示装置の駆動方法においても奏することができる。
【発明を実施するための最良の形態】
【００２１】
以下、本発明の各実施形態について添付図面を参照して説明する。
＜１．  第１の実施形態＞
＜１．１  液晶表示装置の全体構成および動作＞
図１は、本発明の第１の実施形態に係るアクティブマトリクス型液晶表示装置の全体構成を示すブロック図である。この液晶表示装置は、表示制御回路２００、映像信号線駆動回路（ソースドライバ）３００、および走査信号線駆動回路（ゲートドライバ）４００からなる駆動制御部と、表示部５００と、共通電極駆動回路６００とを備えている。表示部５００は、複数本（Ｍ本）の映像信号線ＳＬ（１）〜ＳＬ（Ｍ）と、複数本（Ｎ本）の走査信号線ＧＬ（１）〜ＧＬ（Ｎ）と、それら複数本の映像信号線ＳＬ（１）〜ＳＬ（Ｍ）と複数本の走査信号線ＧＬ（１）〜ＧＬ（Ｎ）との交差点にそれぞれ対応して設けられた複数個（Ｍ×Ｎ個）の画素形成部を含んでおり（以下、走査信号線ＧＬ（ｎ）と映像信号線ＳＬ（ｍ）との交差点に対応する画素形成部を参照符号“Ｐ（ｎ，ｍ）”で示すものとする。）、図２および図３に示すような構成となっている。
【００２２】
ここで表示装置において上記Ｎは１０８０であり、Ｍは１９２０×３であるものとする。なお、Ｍが３倍されているのは、図２などで後述するように１つのカラーの画素を表すためにＲＧＢ３色分の映像信号線が必要であるためである。このような数のカラーの画素を有する表示装置は一般的に高品位テレビ（ＨＤＴＶ）に使用されるものであるが、ここでは横×縦の解像度がその１／４である９６０×５４０（×ＲＧＢ）のＰＡＬ／ＳＥＣＡＭ方式のテレビジョンに使用されるものとし、高品位テレビに使用される本来の場合では４つのカラー画素を形成するための１２個の上記画素形成部で実際には１つのカラー画素が形成されるものとする。ここで以下では、上記画素形成部により形成される画素（実際には画素の一部）をドットと呼び、当該画素形成部をドット形成部と呼び、ＲＧＢ各色を形成する３つのドット形成部により表示される本来の画素（実際には画素の一部）をサブ画素と呼び、これら４つのサブ画素（１２個のドット）により表示される実際の画素をカラー画素と呼ぶ。これらについては詳しく後述する。次に、図２および図３を参照して、表示部５００の構成について詳述する。
【００２３】
図２は、本実施形態における表示部５００の構成を模式的に示し、図３は、この表示部５００におけるドット形成部Ｐ（ｎ，ｍ）の等価回路を示している。図２および図３に示すように、各ドット形成部Ｐ（ｎ，ｍ）は、対応する交差点を通過する走査信号線ＧＬ（ｎ）にゲート端子が接続されるとともに当該交差点を通過する映像信号線ＳＬ（ｍ）にソース端子が接続されたスイッチング素子であるＴＦＴ（Ｔｈｉｎ  Ｆｉｌｍ  Ｔｒａｎｓｉｓｔｏｒ：薄膜トランジスタ）１０と、そのＴＦＴ１０のドレイン端子に接続された画素電極Ｅｐｉｘと、上記複数個のドット形成部Ｐ（ｉ，ｊ）（ｉ＝１〜Ｎ、ｊ＝１〜Ｍ）に共通的に設けられた共通電極（「対向電極」ともいう）Ｅｃｏｍと、上記複数個のドット形成部Ｐ（ｉ，ｊ）（ｉ＝１〜Ｎ、ｊ＝１〜Ｍ）に共通的に設けられ画素電極Ｅｐｉｘ（ここでは以下「ドット電極Ｅｐｉｘ」という）と共通電極Ｅｃｏｍとの間に挟持された電気光学素子としての液晶層とによって構成される。
【００２４】
なお、各ドット形成部Ｐ（ｎ，ｍ）は、赤色（Ｒ）、緑色（Ｇ）、青色（Ｂ）のいずれかの色を表示するものであって、図３に示すように、同じ色を表示するドット形成部Ｐ（ｎ，ｍ）が映像信号線ＳＬ（１）〜ＳＬ（Ｍ）に沿って配置されており、かつ走査信号線ＧＬ（１）〜ＧＬ（Ｎ）に沿った方向にＧＢＲの順で配置されている。また、図２では、これらＲＧＢ３色を表すドット形成部が１つの画素であるように示されているが、隣接するＲＧＢ３色を表す３つのドット形成部により１つのサブ画素が構成可能であり、高品位テレビに使用される場合にはこのサブ画素が１つの画素として視認されることになる。もっとも、本実施形態では、ＰＡＬ／ＳＥＣＡＭ方式のテレビジョンに使用されるので、後述するように１２個のドット形成部により１つのカラー画素が形成される。なお、上記ＲＧＢ各色は典型的な３原色であるが、その他の複数の原色に代えてもよい。
【００２５】
また、一般に液晶表示装置では、液晶の劣化を抑えると共に表示品位を維持するために交流化駆動が行われており、本実施形態では、典型的な交流化駆動方式として、画素を形成する液晶層への印加電圧の正負極性を１走査信号線毎かつ１フレーム毎にも反転させるいわゆるライン反転駆動方式が採用されるものとするが、周知の駆動方式が採用されればよく、例えば印加電圧の正負極性を画素毎かつ１フレーム毎にも反転させるいわゆるドット反転駆動方式が採用されてもよい。
【００２６】
図３に示されるように、各ドット形成部Ｐ（ｎ，ｍ）では、ドット電極Ｅｐｉｘと、それに液晶層を挟んで対向する共通電極Ｅｃｏｍとによって液晶容量Ｃｌｃが形成されており、その近傍に補助容量Ｃｓが形成されている。
【００２７】
ＴＦＴ１０は、走査信号線ＧＬ（ｎ）に印加される走査信号Ｇ（ｎ）がアクティブになると、当該走査信号線が選択されて導通状態となる。そして、ドット電極Ｅｐｉｘには駆動用映像信号Ｓ（ｍ）が映像信号線ＳＬ（ｍ）を介して印加される。これにより、その印加された駆動用映像信号Ｓ（ｍ）の電圧（共通電極Ｅｃｏｍの電位を基準とする電圧）が、そのドット電極Ｅｐｉｘを含むドット形成部Ｐ（ｎ，ｍ）に表示値として書き込まれる。
【００２８】
表示制御回路２００は、外部から送られる表示データ信号ＤＡＴとタイミング制御信号ＴＳとを受け取り、デジタル画像信号ＤＶと、表示部５００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、ゲートクロック信号ＧＣＫ、および極性反転信号φを出力する。
【００２９】
また、この表示制御回路２００は、前述した表示部５００におけるカラー画素の総数に相当するサブ画素の総数の１／４（すなわち縦及び横のサブ画素数がそれぞれ半分）のデータ量を有する表示データ信号ＤＡＴを受け取り、本来は４つのカラー画素となる４つのサブ画素で１つのカラー画素の表示値（カラー階調）を表示するよう、データを適宜に再配置したデジタル画像信号ＤＶを出力する。この動作および詳細な構成については後述する。
【００３０】
映像信号線駆動回路３００は、表示制御回路２００から出力されたデジタル画像信号ＤＶ、ソーススタートパルス信号ＳＳＰ、ソースクロック信号ＳＣＫ、およびラッチストローブ信号ＬＳを受け取り、表示部５００内の各ドット形成部Ｐ（ｎ，ｍ）の液晶容量と補助容量とを充電するために駆動用映像信号を各映像信号線ＳＬ（１）〜ＳＬ（Ｍ）に印加する。このとき、映像信号線駆動回路３００では、ソースクロック信号ＳＣＫのパルスが発生するタイミングで、各映像信号線ＳＬ（１）〜ＳＬ（Ｍ）に印加すべき電圧を示すデジタル画像信号ＤＶが順次に保持される。そして、ラッチストローブ信号ＬＳのパルスが発生するタイミングで、上記保持されたデジタル画像信号ＤＶがアナログ電圧に変換される。変換されたアナログ電圧は、駆動用映像信号として全ての映像信号線ＳＬ（１）〜ＳＬ（Ｍ）に一斉に印加される。すなわち、本実施形態においては、映像信号線ＳＬ（１）〜ＳＬ（Ｍ）の駆動方式には線順次駆動方式が採用される。なお、各映像信号線ＳＬ（１）〜ＳＬ（Ｍ）に印加される映像信号は、表示部５００の交流化駆動のために、極性反転信号φに応じてその極性が反転する。
【００３１】
走査信号線駆動回路４００は、表示制御回路２００から出力されたゲートスタートパルス信号ＧＳＰとゲートクロック信号ＧＣＫとに基づいて、各走査信号線ＧＬ（１）〜ＧＬ（Ｎ）にアクティブな走査信号を順位印加する。
【００３２】
共通電極駆動回路６００は、液晶の共通電極に与えるべき電圧である共通電圧Ｖｃｏｍを生成する。本実施形態では、映像信号線の電圧の振幅を抑えるために、交流化駆動に応じて共通電極の電位をも変化させている。すなわち、共通電極駆動回路６００は、表示制御回路２００からの極性反転信号φに応じて、各行毎にかつ１フレーム毎において２種類の基準電圧の間で切り換わる電圧を生成し、これを共通電圧Ｖｃｏｍとして表示部５００の共通電極に供給する。
【００３３】
以上のようにして、各映像信号線ＳＬ（１）〜ＳＬ（Ｍ）に駆動用映像信号が印加され、各走査信号線ＧＬ（１）〜ＧＬ（Ｎ）に走査信号が印加されることにより、表示部５００に画像が表示される。
【００３４】
＜１．２  表示制御回路の構成および動作＞
図４は、本実施形態における表示制御回路２００の構成を示すブロック図である。この表示制御回路２００は、タイミング制御を行うタイミング制御回路２１と、予め検出されている欠陥画素（欠陥ドット）の位置に関連する後述する情報を記憶する不揮発性メモリ２２と、装置外部から与えられる表示データ信号ＤＡＴに含まれる表示値（各色毎の表示階調データ）を受けとり、タイミング制御回路２１からの制御信号に基づき、受け取った表示値を不揮発性メモリ２２に記憶されている上記情報に照らして適宜の位置の表示値に再配列するデータ変換回路２３と、表示部５００における（サブ画素単位の）本来の表示行の２行分に相当する表示値を一時的に記憶する２Ｈメモリ２４とを含む。
【００３５】
なお、ここでの欠陥ドットとは、点灯不能な（すなわち暗点となる）ドット形成部に対応するドットを示しており、本来の１つのカラーの画素であるサブ画素を形成する（ＲＧＢ３色のいずれかを表示する）３つのドット形成部のいずれかに対応するドットを意味している。また、３つのドットのうちのいずれかに欠陥ドットを含むサブ画素を欠陥サブ画素と呼ぶ。さらに４つのサブ画素のうちのいずれかに欠陥サブ画素を含むカラー画素を欠陥画素と呼ぶ。したがって、欠陥画素は暗点となるわけではなく、暗点となる欠陥ドットの影響により色ずれを起こす（色再現が正常でない状態となる）という機能的な欠陥を有することになる。
【００３６】
タイミング制御回路２１は、外部から送られるタイミング制御信号ＴＳを受け取り、データ変換回路２３および２Ｈメモリ２４の動作を制御するための制御信号ＣＬと、表示部５００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、ゲートクロック信号ＧＣＫ、および極性反転信号φとを出力する。
【００３７】
データ変換回路２３は、外部から送られてくる表示データ信号ＤＡＴに含まれる１つのカラー画素に対応する各色毎の表示値と、タイミング制御回路２１から受け取った制御信号ＣＬと、不揮発性メモリ２２から読み出された関連する情報とに基づき、表示部５００における４つのサブ画素形成部に与えられるべき対応する１２個の表示値を２Ｈメモリに記憶させる。これら１２個の表示値は、上記表示データ信号ＤＡＴに含まれる１つの表示値を隣接する縦横２つずつの４つのサブ画素形成部でカラー階調を表すため、当該４つのサブ画素形成部を構成する１２個のドット形成部に与えられるべき表示値である。詳しくは後述する。
【００３８】
２Ｈメモリ２４は、データ変換回路２３から受け取った上記１２個の表示値を上記４つのサブ画素形成部（すなわち１２個のドット形成部）に対応させて記憶する。この１２個の表示値は、表示部５００における本来の表示列での２列分のサブ画素形成部の２行分に対応しているので、当該２行分の表示値が全ての表示列について揃うまで各サブ画素形成部毎に記憶され続ける。そして、当該２行分の表示値が全ての表示列について揃うと、これらの表示値は、タイミング制御回路２１から受け取った制御信号ＣＬに合わせて一行ごとに適宜のタイミングでデジタル画像信号ＤＶとして映像信号線駆動回路３００に与えられる。
【００３９】
次に、表示部５００に含まれている欠陥画素に関して上記不揮発性メモリ２２に記憶されている情報の内容と、当該情報を作成するための前提となる欠陥画素の検出方法について説明する。
【００４０】
＜１．３  欠陥画素の検出方法および不揮発性メモリに記憶される情報＞
図５は、本実施形態に係るアクティブマトリクス型液晶表示装置の表示部に含まれる欠陥画素を検出する装置の構成を示す概略図である。図５に示されるように、ＣＣＤカメラ４は、本液晶表示装置３の表示部を撮像し、得られた画像を表す映像信号ＣＡＰを欠陥画素検査装置２に与える。欠陥画素検査装置２は、例えば一般的なコンピュータであって、後述する数種類のパターンのいずれかを有する画像が液晶表示装置３の表示部５００に表示されるよう、上記パターンに対応する表示データ信号ＤＡＴとタイミング制御信号ＴＳとを出力する。
【００４１】
すなわち欠陥画素検査装置２は、表示されるべき画像が正しく表示されているかをＣＣＤカメラ４からの映像信号ＣＡＰにより判断し、その判断結果に基づき液晶表示装置３の表示部５００に含まれている欠陥画素の位置を判別する。この点、ＣＣＤカメラ４が表示部５００の全てのドットまたはサブ画素を分離判別できる程度の高い分解能を有していれば欠陥画素を容易に判別することができる。しかし、通常その分解能は数個ないし数十個のサブ画素を１つの画素として判別できる程度の分解能しかないことが多い。そこで、欠陥画素検査装置２は、ＣＣＤカメラ４により１つの画素として分離判別できる十数個程度（ここでは縦横に４つずつの合計１６個）のサブ画素を１単位（以下この単位を「パターン領域」と呼ぶ）として欠陥画素の位置を判別する。すなわちこのパターン領域には４つのカラー画素が含まれており、このパターン領域単位で欠陥画素の位置が判別される。なお、欠陥画素が欠陥ドットを有する欠陥サブ画素を１つ含むカラー画素であることは前述したとおりである。以下、この欠陥画素の検出方法について詳しく説明する。
【００４２】
図６は、表示部におけるドットとパターン領域との関係を説明する図である。この図６は、表示部５００の一部をドット単位で示したものであり、最も小さい１つの長方形が１つのドットを表している。なお、ドットの配置関係は、図２などにおけるドット形成部の配置関係として説明したとおりである。また、図６に付された斜線部分は、欠陥画素を判別するための後述するデータが与えられない（したがって点灯していないドットからなる）パターン領域を示している。
【００４３】
図７は、欠陥画素を判別するためにパターン領域に与えられるデータに応じたドットの点灯状態を示す図である。前述したように、本液晶表示装置は、４つのサブ画素形成部で１つのカラー画素を表示する構成となっており、図７（ａ）〜（ｄ）にそれぞれ示される１２個のドットは、ＧＢＲの順で配置される３つのドットをサブ画素とした４つのサブ画素を構成している。これら４つのサブ画素が１つのカラー画素を構成することは言うまでもない。
【００４４】
また、図７における斜線部は当該ドットが点灯してないことを示し、斜線が付されていないドットは点灯していることを示している。ただし、実際には欠陥ドットが含まれている可能性があるため、斜線が付されていないドットは、欠陥ドットである場合には点灯せず、正常であれば点灯する。なお、点灯する場合には、ここでは説明の便宜上、最大階調（最大輝度）で点灯するものとする。
【００４５】
このように、図６に示される斜線が付されていない全てのパターン領域において図７（ａ）〜（ｄ）に示される点灯状態となるよう順に、欠陥画素検査装置２は、液晶表示装置３に対し上記パターンに対応する表示データ信号ＤＡＴとタイミング制御信号ＴＳとを出力する。これらの点灯状態は、ＣＣＤカメラ４により撮像される。
【００４６】
例えば、図７（ａ）に示される点灯状態となるデータが液晶表示装置３に対して与えられる場合、図６を合わせて参照すれば、点灯すべきドットは、表示部５００の１行目であれば２列目の青のドット、６列目の赤のドット、８列目の青のドット、１２列目の赤のドット、２６列目の青のドット、３０列目の赤のドット、というように続く。なお、ここでの行および列はドット単位での行および列である。
【００４７】
ここで、これらのドットが全て最大輝度で点灯しており欠陥画素が含まれていない場合には、全ての点灯すべき（図６において斜線が付されていない）パターン領域は白表示となる。また、例えば、表示部５００の１行目２列目の青のドットが欠陥ドットである場合、このドットを含む点灯すべきカラー画素からなるパターン領域は、青の色（輝度）が足りないため、白表示とはならない。欠陥画素検査装置２は、この白表示とはならないパターン領域をＣＣＤカメラ４から受け取った映像信号ＣＡＰに基づいて判別し、そのパターン領域の位置を、与えられているデータの種類、すなわち図７（ａ）〜（ｄ）に示されるどの点灯状態となるべきデータであるかに関連付け、欠陥画素を含むパターン領域として記憶する。
【００４８】
なお、以下では説明の便宜のため、図７（ａ）〜（ｄ）に示される点灯状態を点灯パターンＡ〜Ｄと呼び、またこれらの点灯状態となるべきデータの種類を点灯データＡ〜Ｄと呼ぶ。また、ＣＣＤカメラ４がカラーで撮像できないものであっても、欠陥ドットが含まれている場合にはその部分の輝度が不足するため、上記白表示とはならないパターン領域は、上記不足した輝度を判別できる限り問題なく判別することができる。
【００４９】
欠陥画素検査装置２は、以上のように点灯データＡ〜Ｄを順に、表示部５００における図６に示される斜線が付されていない全てのパターン領域に与えて欠陥画素を含むパターン領域を判別した後、図６に示される斜線が付されている全てのパターン領域にも点灯データＡ〜Ｄを順に与える。このことにより、表示部５００における全ての画素欠陥を検出することができる。もっとも、前述したように、欠陥画素検査装置２は、欠陥画素を含むパターン領域を点灯データＡ〜Ｄと関連付けて記憶するのみであるので、欠陥画素の正確な位置を判別することができない。しかし、後述するようなドットの点灯制御を行うことにより、欠陥画素の正確な位置判別は不要となっている。
【００５０】
こうして欠陥画素検査装置２は、記憶した欠陥画素を含むパターン領域の位置とこれに関連付けられた点灯データＡ〜Ｄとを液晶表示装置３の表示制御回路２００に備えられる不揮発性メモリ２２に記憶させる（書き込む）。本液晶表示装置の表示制御回路２００は、この不揮発性メモリ２２に記憶された情報に基づき、欠陥画素を含むパターン領域とそれ以外のパターン領域とにおいて後述する所定のパターンでドットが点灯するようなデータを生成し、表示部５００に与える。以下、このデータの内容について図８から図１２までを参照して説明する。
【００５１】
＜１．４  各パターン領域のドットに対応するデータの内容＞
図８は、欠陥画素を含まないパターン領域のドットに対応するデータに応じたドットの点灯状態を示す図である。より詳しくは、図８（ａ）は、表示制御回路２００により受け取られた表示データＤＡＴの階調が０から６３までの場合を示し、図８（ｂ）は、その階調が６４から１２７までの場合を示し、図８（ｃ）は、その階調が１２８から１９１までの場合を示し、図８（ｄ）は、その階調が１９２から２５５までの場合を示している。
【００５２】
なお、表示データＤＡＴの階調は、実際にはＲＧＢ各色について個別に０から２５５までの階調が定められているが、以下では説明の便宜のため全ての色の階調が同一であるものとし、その同一の階調を表示データＤＡＴの階調と呼ぶ。
【００５３】
ここで前述したように、表示部５００では本来の４つのカラー画素である４つのサブ画素で１つのカラー画素の表示値が階調表現されるものであって、具体的にはこの図８に示されるカラー画素（を構成する１２個のドット）のうちの点灯すべきドットとその輝度とを適宜に定めることにより、表示データＤＡＴの階調が示す上記１つのカラー画素の表示値を階調表現する。例えば、図８（ａ）に示される斜線が付されていない点灯すべきドットの全てが最大輝度で点灯する場合におけるカラー画素全体の輝度は、斜線が付されているドットも含めた全てのドットが最大輝度で点灯する場合の１／４の輝度となる。したがってこの場合に、このカラー画素で表現される階調は２５６階調の１／４の６４階調となる。このように、図８（ａ）〜図８（ｄ）における点灯すべき各ドットの発光輝度が適宜に定められている。
【００５４】
また、図９から図１２までは、欠陥画素を含むパターン領域のドットに対応するデータに応じたドットの点灯状態を示す図である。すなわち、図９は、図７に関連して前述した点灯パターンＡで点灯させた場合に欠陥画素が発見されたパターン領域のドットに対応するデータに応じたドットの点灯状態を示す図であり、図１０は、点灯パターンＢで欠陥画素が発見された場合の上記点灯状態を示す図であり、図１１は、点灯パターンＣで欠陥画素が発見された場合の上記点灯状態を示す図であり、図１２は、点灯パターンＤで欠陥画素が発見された場合の上記点灯状態を示す図である。さらに詳しくは、図９（ａ）〜図１２（ａ）は、表示制御回路２００により受け取られた表示データＤＡＴの階調が０から６３までの場合を示し、図９（ｂ）〜図１２（ｂ）は、その階調が６４から１２７までの場合を示し、図９（ｃ）〜図１２（ｃ）は、その階調が１２８から１９１までの場合を示し、図９（ｄ）〜図１２（ｄ）は、その階調が１９２から２５５までの場合を示している。このように表示パターンを４つに分けて最低階調から最高階調までを順に割り当てることにより、より自然で滑らかな階調表現を行うことができる。
【００５５】
なお、図７と同様に、図８から図１２までにおける斜線を付されたドットは点灯してないことを示し、斜線が付されていないドットは点灯していることを示している。ただし、太枠で囲まれたドットは欠陥ドットである可能性があることを示している。したがって、斜線が付されていないドットは、欠陥ドットである場合には点灯せず、正常であれば点灯する。
【００５６】
ここでこれら図９から図１２までを参照すればわかるように、図中の太枠で囲まれた欠陥ドットである可能性があるドットは、表示制御回路２００により受け取られた表示データＤＡＴの階調が１９２から２５５までの場合（図９（ｄ）〜図１２（ｄ）の場合）にのみ点灯する可能性があり、それ以外の場合では点灯することがない（すなわち上記以外の図では斜線が付されている）。したがって、欠陥ドットが点灯しないことによる欠陥画素における表示色の異常は、表示されるべき階調が大きい場合にのみ生じることになる。したがって、欠陥ドットがあることによって、表示される階調が小さい場合（暗い場合）に特に大きな異常として目に感じられる色付きの異常がこの場合には生じることがなく、表示されるべき階調が大きい場合（明るい場合）にのみ目に感じられにくい色付きの異常が生じるのみである。よって、全体として欠陥画素における色付きの異常を感じにくくすることができる。
【００５７】
また、図９から図１２までを参照すればわかるように、図中の太枠で囲まれた欠陥ドットである可能性があるドットは、各サブ画素に分散するよう配置されており、１つのサブ画素に固まって配置されることがない。このように分散配置される構成により、カラー表示を行うカラー画素における各ドットによる発光位置の配置バランス（発光画素の重心とも呼ばれる）を偏りのないものにすることができる。
【００５８】
例えば仮に１つのサブ画素内に全ての上記欠陥ドットである可能性があるドットを配置するものとすれば、表示データＤＡＴの階調が１９２に達するまで当該サブ画素が点灯しないことになり、発光画素の重心が偏ってしまうことになる。本実施形態では、表示データＤＡＴの階調が１９２に達するまで点灯しない（欠陥ドットである可能性がある）ドットを分散配置することにより発光画素の重心をカラー画素の中心付近に偏りなく設定することができる。
【００５９】
＜１．５  第１の実施形態の効果＞
以上のように本実施形態における表示制御回路２００を備える液晶表示装置は、欠陥ドットである可能性があるドットを大きな階調でのみ表示に使用するので、低輝度で表示する場合に画素欠陥を目立ちにくくすることができる。
【００６０】
また、このことから比較的多数の欠陥ドットを有する高解像度の表示装置、典型的には高品位テレビ（ＨＤＴＶ）に使用される表示装置を、低解像度の表示装置、典型的にはＰＡＬ／ＳＥＣＡＭ方式のテレビジョンに使用される表示装置として使用することができる。よって、例えばＨＤＴＶ用として使用することができない程度に欠陥ドットが多く含まれている表示装置であっても、廃棄することなくＰＡＬ／ＳＥＣＡＭ方式のテレビジョンに使用される表示装置として使用することができるので、結果的に製造コストを削減することができる。
【００６１】
＜２．  第２の実施形態＞
＜２．１  液晶表示装置の全体構成および動作＞
本発明の第２の実施形態に係るアクティブマトリクス型液晶表示装置の全体構成は、第１の実施形態の場合と同様であり、表示部５００の構成（図２を参照）や、表示部５００におけるドット形成部Ｐ（ｎ，ｍ）の等価回路（図３を参照）なども同様の構成であるので、その説明を省略する。また、欠陥画素検査装置２による欠陥画素の検出方法も同様である。
【００６２】
これに対して、本実施形態のドットの点灯パターンは、第１の実施形態の場合とは異なっている。本実施形態における液晶表示装置は、第１の実施形態における表示制御回路２００の構成は同様であるが、その動作が異なっており、表示制御回路２００に備えられる不揮発性メモリ２２に記憶させているデータ内容、すなわち欠陥画素を含むパターン領域とそれ以外のパターン領域とにおいてドットがどのようなパターンで点灯するかを定めるデータの内容が異なっている。以下、このデータの内容について前述した図８から図１２まで、および図１３から図１７までを参照して説明する。
【００６３】
＜２．２  各パターン領域のドットに対応するデータの内容＞
本実施形態では、１つのカラー画素で一列とするとき（これはドットの６列分に相当する）、奇数列のカラー画素と偶数列のカラー画素とでドットの配列パターンが異なるように設定することにより、ＲＧＢ各色のドットが三角形状の位置関係となるいわゆるデルタ配列に近似させることができる。このことを実現するため、本実施形態では、前述した図８から図１２までの各図に記載されたドットの配列を、当該カラー画素が奇数列である場合に適用し、図１３から図１７までの各図に記載されたドットの配列は、当該カラー画素が偶数列である場合に適用する。
【００６４】
図１３は、カラー画素が偶数列である場合、欠陥画素を含まないパターン領域のドットに対応するデータに応じたドットの点灯状態を示す図である。より詳しくは、図８と同様に、図１３（ａ）は、表示制御回路２００により受け取られた表示データＤＡＴの階調が０から６３までの場合を示し、図１３（ｂ）は、その階調が６４から１２７までの場合を示し、図１３（ｃ）は、その階調が１２８から１９１までの場合を示し、図１３（ｄ）は、その階調が１９２から２５５までの場合を示している。なお、カラー画素が偶数列である場合には、図８に示した点灯状態の配列パターンが適用されることについては前述した通りである。
【００６５】
また、図１４から図１７までは、カラー画素が偶数列である場合、欠陥画素を含むパターン領域のドットに対応するデータに応じたドットの点灯状態を示す図である。すなわち、図１４は、前述した点灯パターンＡで点灯させた場合に欠陥画素が発見されたパターン領域のドットに対応するデータに応じたドットの点灯状態を示す図であり、図１５は、点灯パターンＢで欠陥画素が発見された場合の上記点灯状態を示す図であり、図１６は、点灯パターンＣで欠陥画素が発見された場合の上記点灯状態を示す図であり、図１７は、点灯パターンＤで欠陥画素が発見された場合の上記点灯状態を示す図である。さらに詳しくは、図１４（ａ）〜図１７（ａ）は、表示制御回路２００により受け取られた表示データＤＡＴの階調が０から６３までの場合を示し、図１４（ｂ）〜図１７（ｂ）は、その階調が６４から１２７までの場合を示し、図９（ｃ）〜図１２（ｃ）は、その階調が１２８から１９１までの場合を示し、図１４（ｄ）〜図１７（ｄ）は、その階調が１９２から２５５までの場合を示している。
【００６６】
ここで上記図１３から図１７までを、図８から図１２までと対比させて考えれば、第１の実施形態の場合と同様に、表示されるべき階調が大きい場合（明るい場合）にのみ目に感じられにくい色付きの異常が生じるので全体として画素欠陥による色付きの異常を感じにくくすることができるともに、対応する階調で当該カラー画素が偶数列の場合と奇数列の場合とで異なっていることがわかる。以下、このような点灯状態となる表示パターンを図１８を参照して説明する。
【００６７】
図１８は、本実施形態におけるカラー画素に含まれるドットの点灯状態を示す図である。より詳しく説明すると、図１８では、表示データＤＡＴの階調が６４から１２７までの場合であって、表示部５００における左上隅のパターン領域に欠陥画素が含まれている場合、当該パターン領域を含むドットの点灯状態が示されている。
【００６８】
図１８を参照すればわかるように、４つのカラー画素で構成される左上隅のパターン領域において、奇数列（１列目）のカラー画素では、図１１（ｂ）に示される点灯状態でドットが点灯しており、偶数列（２列目）のカラー画素では、図１６（ｂ）に示される点灯状態でドットが点灯している。また、欠陥画素が含まれていないパターン領域において、奇数列（１列目および３列目）のカラー画素では、図８（ｂ）に示される点灯状態でドットが点灯しており、偶数列（２列目および４列目）のカラー画素では、図１３（ｂ）に示される点灯状態でドットが点灯している。図１８に示されるような点灯状態となる表示パターンは、ＲＧＢ各色のドットがいわゆるストライプ配列となるよう配列されているにもかかわらず、点灯しているＲＧＢ各色のドットに着目すればこれらが三角形状の位置関係となるデルタ配列に近似していることがわかる。
【００６９】
＜２．３  第２の実施形態の効果＞
以上のように本実施形態における表示制御回路２００を備える液晶表示装置は、第１の実施形態と同様、欠陥ドットである可能性があるドットを大きな階調でのみ表示に使用するので、低輝度で表示する場合に画素欠陥を目立ちにくくすることができる。さらに、本実施形態では、ドットの点灯状態（表示パターン）をデルタ配列に近似させるため、奇数列のカラー画素と偶数列のカラー画素とのドットの配列パターンが異なるように設定する。このことにより、実際のドットの配列がストライプ配列などであっても、デルタ配列である場合と同様の自然な画像表示を行うことができる。
【００７０】
また、第１の実施形態の場合と同様、ＨＤＴＶ用として使用することができない程度に画素欠陥が多い表示装置でも、廃棄することなくＰＡＬ／ＳＥＣＡＭ方式のテレビジョンに使用される表示装置として使用することができ、結果として製造コストを削減することができる。
【００７１】
＜３．  第３の実施形態＞
＜３．１  液晶表示装置の全体構成および動作＞
本発明の第３の実施形態に係るアクティブマトリクス型液晶表示装置の全体構成は、第１の実施形態の場合と同様であり、表示部５００の構成（図２を参照）や、表示部５００におけるドット形成部Ｐ（ｎ，ｍ）の等価回路（図３を参照）なども同様の構成であるので、その説明を省略する。また、欠陥画素検査装置２による欠陥画素の検出方法も同様である。
【００７２】
これに対して、本実施形態のドットの点灯パターンは、第１の実施形態の場合とは異なっている。本実施形態における液晶表示装置は、第１の実施形態における表示制御回路２００の構成は同様であるが、その動作が異なっており、表示制御回路２００に備えられる不揮発性メモリ２２に記憶させているデータ内容、特に欠陥ドットである可能性があるドットが一切点灯されない点が異なっている。以下、前述した図８から図１２までを参照して説明する。
【００７３】
＜３．２  各パターン領域のドットに対応するデータの内容＞
本実施形態では、第１の実施形態における点灯状態とほぼ同様の点灯状態、すなわち図８から図１２までのうち、図８（ｄ）、図９（ｄ）、図１０（ｄ）、図１１（ｄ）、および図１２（ｄ）を除く図に示される点灯状態により表示を行う。
【００７４】
すなわち、欠陥ドットである可能性があるドットを点灯させる上記図８（ｄ）〜図１２（ｄ）に示される点灯状態となる表示パターンは一切使用せず、欠陥ドットである可能性があるドットを点灯させない残りの表示パターンを使用して全ての階調における表示を行う。
【００７５】
例えば、図９（ａ）に示される点灯状態となる表示パターンで、表示制御回路２００により受け取られた表示データＤＡＴの階調が０から８４までの場合の表示を行い、図９（ｂ）の表示パターンで、その階調が８５から１６９までの場合の表示を行い、図９（ｃ）の表示パターンで、その階調が１７０から２５５までの場合の表示を行う。そうすれば、図９（ｄ）に示されるように欠陥ドットである可能性があるドットが点灯されることはなくなるので、画素欠陥が目に見えなくなる。ただし、第１および第２の実施形態は、欠陥ドットである可能性があるドットが点灯されるので、高輝度表示時における発光輝度を大きくすることができる（すなわち小さくならないようにすることができる）利点を有している。
【００７６】
＜３．３  第３の実施形態の効果＞
以上のように本実施形態における表示制御回路２００を備える液晶表示装置は、第１または第２の実施形態の場合とは異なり、欠陥ドットである可能性があるドットを一切表示に利用しないので、画素欠陥を全く見分けられないようにすることができる。また、高輝度でカラー画素を表示する場合にも、欠陥画素が使用されないので色付きの異常を生じることがなく、色再現性が完全な表示を行うことができる。
【００７７】
＜４．  変形例＞
上記第１の実施形態では、図８に示される点灯パターンを必ずしも使用する必要はなく、図９から図１２までのいずれかの点灯パターンＡ〜Ｄをこれに代えて使用してもよい。その場合には、或るパターン領域に対して点灯データＡ〜Ｄの４種類のいずれが対応するか不揮発性メモリ２２を記憶すればよいので、当該種類について２ｂｉｔのデータを記憶すれば足りる。よって、不揮発性メモリ２２の記憶容量を小さく抑えることができる。
【００７８】
また、上記第２の実施形態でも同様に、図８および図１３に示される点灯パターンを必ずしも使用する必要はなく、図９から図１７までのいずれかの点灯パターンＡ〜Ｄをこれに代えて使用してもよい。その場合には、２ｂｉｔのデータを記憶すれば足りるので、不揮発性メモリ２２の記憶容量を小さく抑えることができる。
【００７９】
上記第２の実施形態では、奇数列のカラー画素と偶数列のカラー画素とのドットの配列パターンが異なるように設定するが、ドットの点灯状態（表示パターン）をデルタ配列に近似させることができればよいので、例えば複数列毎に異なるように設定してもよいし、奇数行のカラー画素と偶数行のカラー画素とのドットの配列パターンが異なるように設定してもよい。
【００８０】
また上記第２の実施形態では、例えば、図９（ａ）〜（ｃ）に示される３つの表示パターンに対して、表示データＤＡＴの最低階調から最高階調までをほぼ三等分して表示階調の割り当てを行っているが、これは一例にすぎず、図９（ｄ）に示されるような表示パターンで欠陥ドットである可能性があるドットが点灯されることがなければどのように階調を割り当ててもよい。例えば、第１の実施形態の場合と同様に、図９（ａ）に示される表示パターンに対して表示データＤＡＴの階調が０から６３までを割り当て、図９（ｂ）に示される表示パターンに対して表示データＤＡＴの階調が６４から１２７までを割り当てるが、第１の実施形態の場合とは異なり図９（ｃ）に示される表示パターンに対して表示データＤＡＴの階調が１２８から２５５までを割り当ててもよい。また、表示パターンの数は２以下であってもよいし、４以上であってもよい。これらのことは他の実施形態においても同様である。
【００８１】
上記第３の実施形態では、第１の実施形態における点灯状態とほぼ同様の点灯状態で表示を行うが、第２の実施形態における点灯状態とほぼ同様の点灯状態、すなわち図８から図１７までのうち、図８（ｄ）〜図１７（ｄ）を除く図に示される点灯状態により表示を行う構成であってもよい。
【００８２】
上記各実施形態では、ＣＣＤカメラ４は、十数個程度のサブ画素を１つの画素として分離判別できるものとしたが、例えば百数十個程度を分離判別できる程度またはそれ以下の分解能を有しているものであってもよい。また、例えば全てのドットを分離判別できる分解能を有していてもよい。もっとも、本実施形態では、各パターン領域に含まれる欠陥画素の数が多くても１つである場合に最も効果的に動作するので、表示部５００に数個から数十個程度の欠陥画素が含まれている典型的な場合、（１つのパターン領域が数個程度のカラー画素で構成されるよう）パターン領域は比較的小さく設定しなければならない。よって、上記分解能は上記１つのパターン領域を分離判別できる程度に高くなければならない。
【００８３】
上記各実施形態では、高品位テレビ（ＨＤＴＶ）に使用可能な高精細の液晶表示パネルをＰＡＬ／ＳＥＣＡＭ方式のテレビジョンに転用する場合を例に説明したが、これは一例であって、複数のサブ画素形成部で１つのカラー画素を表示する構成の表示装置であれば本発明を広く適用することができる。
【００８４】
上記各実施形態では、液晶表示装置を例に説明したが、画素形成部がマトリクス状に配列されており欠陥画素が含まれている表示装置、例えば有機ＥＬ素子や無機ＥＬ素子を含むＬＥＤを備える表示装置、ＦＥＤ、プラズマディスプレイなどにも本発明を広く適用することができる。
【図面の簡単な説明】
【００８５】
【図１】本発明の第１の実施形態に係る液晶表示装置の構成を示すブロック図である。
【図２】上記実施形態における表示部の構成を示す模式図である。
【図３】上記実施形態における表示部に含まれる画素形成部Ｐ（ｎ，ｍ）の等価回路図である。
【図４】上記実施形態における表示制御回路の構成を示すブロック図である。この
【図５】上記実施形態における表示装置の表示部に含まれる欠陥画素を検出する装置の構成を示す概略図である。
【図６】上記実施形態において、表示部でのドットとパターン領域との関係を説明する図である。
【図７】上記実施形態において、欠陥画素を判別するためにパターン領域に与えられるデータに応じたドットの点灯状態を示す図である。
【図８】上記実施形態において、欠陥画素を含まないパターン領域のドットに対応するデータに応じたドットの点灯状態を示す図である。
【図９】上記実施形態において、点灯パターンＡで点灯させた場合に欠陥画素が発見されたパターン領域のドットに対応するデータに応じたドットの点灯状態を示す図である。
【図１０】上記実施形態において、点灯パターンＢで点灯させた場合に欠陥画素が発見されたパターン領域のドットに対応するデータに応じたドットの点灯状態を示す図である。
【図１１】上記実施形態において、点灯パターンＣで点灯させた場合に欠陥画素が発見されたパターン領域のドットに対応するデータに応じたドットの点灯状態を示す図である。
【図１２】上記実施形態において、点灯パターンＤで点灯させた場合に欠陥画素が発見されたパターン領域のドットに対応するデータに応じたドットの点灯状態を示す図である。
【図１３】本発明の第２の実施形態において、カラー画素が偶数列である場合、欠陥画素を含まないパターン領域のドットに対応するデータに応じたドットの点灯状態を示す図である。
【図１４】上記実施形態において、カラー画素が偶数列である場合、点灯パターンＡで点灯させた場合に欠陥画素が発見されたパターン領域のドットに対応するデータに応じたドットの点灯状態を示す図である。
【図１５】上記実施形態において、カラー画素が偶数列である場合、点灯パターンＢで点灯させた場合に欠陥画素が発見されたパターン領域のドットに対応するデータに応じたドットの点灯状態を示す図である。
【図１６】上記実施形態において、カラー画素が偶数列である場合、点灯パターンＣで点灯させた場合に欠陥画素が発見されたパターン領域のドットに対応するデータに応じたドットの点灯状態を示す図である。
【図１７】上記実施形態において、カラー画素が偶数列である場合、点灯パターンＤで点灯させた場合に欠陥画素が発見されたパターン領域のドットに対応するデータに応じたドットの点灯状態を示す図である。
【図１８】上記実施形態におけるカラー画素に含まれるドットの点灯状態を示す図である。
【図１９】第１の従来例におけるドットの配置構成を示す図である。
【図２０】上記従来例におけるドットと補助容量線とを示す図である。
【図２１】第２の従来例における各色ドットの配置構成を示す図である。
【図２２】上記従来例における色再現範囲を示す図である。
【符号の説明】
【００８６】
２        …欠陥画素検査装置
３        …液晶表示装置
４        …ＣＣＤカメラ
１０      …ＴＦＴ（薄膜トランジスタ）
２１      …タイミング制御回路
２２      …不揮発性メモリ
２３      …データ変換回路
２４      …２Ｈメモリ
２００    …表示制御回路
３００    …映像信号線駆動回路
４００    …走査信号線駆動回路
５００    …表示部
６００    …共通電極駆動回路
Ｐ（ｎ，ｍ）…画素形成部（ドット形成部）
Ｅｐｉｘ  …画素電極（ドット電極）
Ｅｃｏｍ  …共通電極（対向電極）
Ｇ（ｋ）  …走査信号（ｋ＝１，２，３，…）
ＧＬ（ｋ）…走査信号線（ｋ＝１，２，３，…）
Ｓ（ｊ）  …映像信号（ｊ＝１，２，３，…）
ＳＬ（ｊ）…映像信号線（ｊ＝１，２，３，…）
ＤＡＴ    …表示データ信号
ＤＶ      …デジタル画像信号
ＣＬ      …制御信号
【図１】
2009282346.tif 000003
【図２】
2009282346.tif 000004
【図３】
2009282346.tif 000005
【図４】
2009282346.tif 000006
【図５】
2009282346.tif 000007
【図６】
2009282346.tif 000008
【図７】
2009282346.tif 000009
【図８】
2009282346.tif 000010
【図９】
2009282346.tif 000011
【図１０】
2009282346.tif 000012
【図１１】
2009282346.tif 000013
【図１２】
2009282346.tif 000014
【図１３】
2009282346.tif 000015
【図１４】
2009282346.tif 000016
【図１５】
2009282346.tif 000017
【図１６】
2009282346.tif 000018
【図１７】
2009282346.tif 000019
【図１８】
2009282346.tif 000020
【図１９】
2009282346.tif 000021
【図２０】
2009282346.tif 000022
【図２１】
2009282346.tif 000023
【図２２】
2009282346.tif 000024